(57)【特許請求の範囲】
【請求項１】
篩い分け用篩の損傷したメッシュの区域を塞ぐ方法であって、
区域は、メッシュが張り渡されピンと張られて固定される支持フレームにおける窓枠によって規定されており、
前記方法は、
窓枠へ、そこに密接して嵌まる閉鎖部材を挿入するステップと、
損傷したメッシュを覆うために、損傷したメッシュの区域を完全に封鎖するように、閉鎖部材を窓枠に固定させるステップとを含む、篩の損傷区域を塞ぐ方法。
【請求項２】
閉鎖部材はプレートまたはブロックである、請求項１に記載の方法。
【請求項３】
閉鎖部材は窓枠への力嵌めにより所定の位置に固定されている、請求項１または２に記載の方法。
【請求項４】
閉鎖部材は窓枠との締り嵌めにより所定の位置に固定されている、請求項１または２に記載の方法。
【請求項５】
閉鎖部材は機械的係合により窓枠の所定の位置に固定されている、請求項１または２に記載の方法。
【請求項６】
閉鎖部材は接着剤により窓枠の所定の位置に固定されている、請求項１または２に記載の方法。
【請求項７】
閉鎖部材は弾性的に変形可能で、窓枠を規定する要素のうちの少なくとも１つにおける少なくとも１つの突起を越えて押込まれることができ、したがって、窓枠における損傷したメッシュを閉鎖するために閉鎖部材を嵌め込むステップは、閉鎖部材を窓枠へ押込むステップと、それを所定の場所にパチンと結合することによって固定するステップとを伴う、請求項１または２に記載の方法。
【請求項８】
篩の上面は平坦で、支持フレームの平坦な上面に張り渡されピンと張られ、結合されるメッシュから構成されており、
支持フレームの下面は、フレームにおける窓枠を規定するリブの交差する直交行列から作られており、
前記方法は、篩の下面における空洞を規定する矩形の窓枠のうちの１つに閉鎖部材を嵌め込み固定させるステップを伴う、請求項１から７のいずれかに記載の方法。
【請求項９】
すべての空洞が同様の形状およびサイズであって、閉鎖部材の設計を１つしか必要としない、請求項８に記載の方法。
【請求項１０】
リブの側面には、メッシュの下面と平行だが間隔を取っているリップが設けられ、
閉鎖部材は、少なくともその一部をリップを越えて押込み、損傷したメッシュの下の所定の位置にパチンと結合することによって固定することにより、所定の位置に嵌め込まれるよう適合されている、請求項８または９に記載の方法。
【請求項１１】
リップは、各空洞を規定するリブのうちの２つの側面上に形成されている、請求項１０に記載の方法。
【請求項１２】
同様のリップが各空洞を規定する他方のリブのうちの１つまたは両方の側面上にも形成されている、請求項１１に記載の方法。
【請求項１３】
閉鎖部材はリップを越えて押込まれ、損傷したメッシュとリップとの間に挟まれる、請求項１０から１２のいずれかに記載の方法。
【請求項１４】
閉鎖部材の対向する縁には、リップを相補する肩を規定する隆起が形成され、閉鎖部材は肩がリップを越すまで窓枠に押込まれ、閉鎖部材を形成する材料は、肩がリップを越えてパチンと結合することによって固定することを可能にする弾力性を有する、請求項１０に記載の方法。
【請求項１５】
ライン形態の２つまたはそれ以上のリップがリブの側面に設けられている、請求項１０から１４のいずれかに記載の方法。
【請求項１６】
リップと隆起とは、閉鎖部材が窓枠へ挿入されやすくするための傾斜した面と、閉鎖部材が一旦所定の位置にパチンと嵌まると逆方向への動きを妨害するよう係合する垂直な面とを有する、請求項１４または１５に記載の方法。
【請求項１７】
メッシュが張り渡されピンと張られて固定される支持フレームにおける窓枠によって区域が規定されされた篩い分け用篩と、ピンと張られたメッシュが、メッシュ下面上の矩形の開口部の直線配列を規定する、直交して交差するリブから作られたフレームに固定され、開口部のうちの一つにおけるメッシュの区域が損傷している種類の損傷したメッシュを含む篩い分け用篩を修理するための閉鎖部材とを含むシステムであって、
少なくとも一つの隆起またはリップが、各開口部を規定する対向するリブの内側に面した壁に沿って形成され、
開口部を塞ぐための閉鎖部材はプラスチック材料でできた閉鎖部材を含み、その部材は、損傷したメッシュを含む開口部に、閉鎖部材の少なくとも一部が開口部の隆起またはリップを越えた状態で嵌め込まれ、その開口部を完全に封鎖するように適合されており、
閉鎖部材には、それが嵌め込まれるべき開口部の隆起またはリップと協働して、閉鎖部材を所定の位置に保持する相補形の隆起またはリップが、その対向する側面に沿って形成されている、篩の修理システム。
【請求項１８】
篩フレームは、プラスチックまたはガラス強化プラスチック材料から成型工程により形成され、その際、隆起またはリップは、フレームの製造中、開口部を規定するリブの内側に面した壁上に形成される、請求項１７に記載のシステム。
【請求項１９】
ピンと張られたメッシュを支持するために、リブによって規定された複数の同様のサイズの開口部を有し、リブの内側に面した壁のうちの少なくとも一部は、メッシュが固定される開口部の端から間隔をとっている少なくとも一つの隆起またはリップを含み、隆起またはリップを保持する開口部の側面に対応する側面に沿って、少なくとも一つの相補形の隆起またはリップが形成されている閉鎖部材が、開口部内へ、損傷したメッシュにより覆われている端とは反対の端から押込まれ、開口部の側面上の隆起またはリップと閉鎖部材の縁上のそれらとの係合により、所定の位置に保持され得るように、
構成されている支持フレームと、
支持フレームに固定されたピンと張られたメッシュと、
支持フレームの矩形の開口部に張り渡されたメッシュが損傷した場合に、その矩形の開口部に挿入されて、その矩形の開口部を完全に封鎖するよう各々が適合されている、複数の閉鎖部材とを含む、篩い分け用篩システム。
【請求項２０】
フレームにおける窓はすべて同じ形状およびサイズであり、閉鎖部材はすべて１種類のサイズおよび形状である、請求項１９に記載の篩い分け用篩システム。
【請求項２１】
隆起またはリップの少なくとも一部は弾性的に変形可能である、請求項１９に記載の篩い分け用篩システム。
【発明の詳細な説明】
【０００１】
【発明の分野】
この発明は、石油掘削業において掘削操作から取出された液相の石油と水とがベースの泥から固体を分離させるために用いられるシェーカーなどの工業用濾過装置のフィルタとして使用され得る篩に関する。特に、この発明は、使用の際に損傷し得るそのような篩のメッシュの小さな区域を塞ぐための方法および装置に関する。
【０００２】
【背景】
この種の濾過装置は、ＵＫ２２３７５２１およびＵＫ２２２９７７１に記載されており、この種の篩は、ＷＯ９５／２３６５５およびＵＫ２３２２５９０に記載されている。
【０００３】
ＵＫ２３２２５９０の図１、１１および２４から最もよくわかるように、大きな開口部がリブの直交配列によって多くの同様のサイズのより小さな窓に分割されているフレーム上に、メッシュの層を張り渡し、固定させることによって、メッシュ区域を効果的に分割することが、従来からの慣行となっている。メッシュはまわりのフレームにだけでなくリブにも固定されているので、支持されていないメッシュの各区域は比較的小さく、リブにより規定される小さな窓の各々の区域により規定される。
【０００４】
損傷は、メッシュの小さな支持されていない区域の１つまたはいくつかでメッシュに穴があくという形を取ることが多い。メッシュのその区域は、それが通すべき粒子よりも大きい粒子を通すようになる。これが一旦起こると、篩を交換または修理しなくてはならない。
【０００５】
小さな区域の各々は濾過される物質のスループット全体のうち小さい割合を占めるだけなので、そのスループットが下落しすぎて引続き使用することができなくなるまで、篩の窓のいくつかを封鎖することが可能である。そのような窓を、急速硬化するエポキシまたは他のプラスチックもしくは樹脂ベースの材料の層を用いて継ぎ当てすると、その層は硬化時に当該窓上に不透過性フィルムまたはコーティングを形成する、ということが知られている。これは、損傷により生じたメッシュの孔のために過大粒子が窓を通り抜けて漏れることを防止する。
【０００６】
この発明の目的は、このように述べたような篩における窓を封鎖する（すなわち塞ぐ）ための改良された篩の設計、および改良された装置ならびに方法を提供することにある。
【０００７】
ここでいうメッシュとは織込まれたワイヤメッシュを意味し、この発明は、上述のようにフレームとリブとに張り渡され固定された、織込まれたワイヤメッシュの単一層、または織込まれたワイヤメッシュの２つまたはそれ以上の層を有する篩に等しく適用できる。
【０００８】
この発明は、プラスチックまたはＧＲＰなどの強化プラスチック材料から作られた、強化金属付きまたはなしのフレームおよびリブにも、また、金属から作られ、腐食を抑えるためにプラスチックまたは樹脂ベースの材料でコーティングされているかもしれないフレームおよびリブにも適用できる。
【０００９】
【発明の概要】
この発明によれば、篩い分け用篩の損傷したメッシュの区域を塞ぐ方法が提供される。区域は、メッシュが張り渡されピンと張られて固定される支持フレームにおける窓によって規定されており、この方法は、窓へ、そこに密接して嵌まる装置を挿入するステップと、損傷したメッシュの区域を完全に覆うように、装置を窓に固定させるステップとを含む。
【００１０】
装置は、プレートまたはブロックであってもよい。
また、これに代えて、装置は、当該窓に張り渡されたものと同様のメッシュが張り渡され固定されたフォーマ（former）を含んでいてもよい。
【００１１】
装置は、窓への力嵌めにより所定の位置に固定されていてもよい。
また、これに代えて、装置は、窓との締り嵌めにより所定の位置に固定されていてもよい。
【００１２】
また、これに代えて、装置は、機械的手段により所定の位置に固定されていてもよい。
【００１３】
また、これに代えて、装置は、接着剤により所定の位置に固定されていてもよい。
【００１４】
好ましい実施例では、装置は弾性的に変形可能で、窓を規定する要素のうちの少なくとも１つにおける少なくとも１つの突起を越えて押込むことができ、したがって窓における損傷したメッシュを覆うために装置を嵌め込むステップは、装置を窓へ押込むステップと、それを所定の場所にパチンと嵌め込むステップとを伴う。
【００１５】
篩の上面はほぼ平坦で、支持フレームの概ね平坦な上面に張り渡されピンと張られ結合されるメッシュから構成されており、支持フレームの下面は、フレームにおける窓を規定するリブの交差する直交行列から作られている、前述の方法において、好ましい方法は、篩の下面における空洞を規定する矩形の窓のうちの１つに装置を嵌め込み固定させるステップを伴う。
【００１６】
篩の下面におけるすべての空洞が同様の形状およびサイズである場合、必要とされる装置の設計は１つだけである。
【００１７】
好ましくは、リブの側面には、メッシュの下面と平行だが間隔を取っているリップが設けられ、装置は、少なくともその一部をリップを越えて押込み、損傷したメッシュの下の所定の位置にパチンと嵌め込むことにより、所定の位置に嵌め込まれるよう適合されている。
【００１８】
リップは、各空洞を規定するリブのうちの２つの側面上に形成されていてもよい。
【００１９】
同様のリップが、各空洞を規定する他方のリブのうちの１つまたは両方の側面上にも形成されていてもよい。
【００２０】
一実施例では、装置は全体的にリップを越えて押込まれ、損傷したメッシュとリップとの間に挟まれる。
【００２１】
別の実施例では、装置の縁は、リブ上のリップを越えて挿入されやすくなっているものの、一旦所定の位置につくと、その逆方向への動きを妨害するような形に作られている。
【００２２】
この目的のために、装置の対向する縁には、リップを相補する肩を規定する隆起が形成されていてもよく、装置は肩がリップを越すまで窓に押込まれ、装置を形成する材料は、肩がリップを越えてパチンと嵌まることを可能にする弾力性を有する。
【００２３】
隆起の２つまたはそれ以上の線が装置の縁の各々に設けられ、各隆起は肩を規定して、リップとのいわゆるモミの木結合を構成してもよい。
【００２４】
同様に、リップの２つまたはそれ以上の線が、リブの側面に設けられていてもよい。
【００２５】
リップと隆起とは、便宜的には、装置が窓へ挿入されやすくするための傾斜した面と、装置が一旦所定の位置にパチンと嵌まると逆方向への動きを妨害するよう係合するほぼ垂直な面とを有する。
【００２６】
この発明はまた、ピンと張られたメッシュが、メッシュ下面上の矩形の開口部の直線配列を規定する、直交して交差するリブから作られたフレームに固定され、開口部のうちの一つにおけるメッシュの区域が損傷している種類の損傷したメッシュを含む篩い分け用篩を修理するためのシステムにも見いだされ、少なくとも一つの隆起またはリップが、各開口部を規定する対向するリブの内側に面した壁に沿って形成され、開口部を塞ぐための装置はプラスチック材料でできた直線閉鎖部材を含み、その部材は、損傷したメッシュを含む開口部に、閉鎖部材の少なくとも一部が開口部の隆起またはリップを越えた状態で嵌め込まれ、その開口部を完全に封鎖するように適合されており、閉鎖部材には、それが嵌め込まれるべき開口部の隆起またはリップと協働して、閉鎖部材を所定の位置に保持する相補形の隆起またはリップが、その対向する側面に沿って形成されている。
【００２７】
リブ上の隆起またはリップ、または閉鎖部材の側面上の相補形の隆起またはリップ、もしくはその両方は、閉鎖部材を所定の場所に押し込むのを支援するため、弾性的に変形可能であってもよい。
【００２８】
篩フレームがプラスチックまたはガラス強化プラスチック材料から成型工程により形成される場合、隆起またはリップは、フレームの製造中、開口部を規定するリブの内側に面した壁上に形成されてもよい。
【００２９】
この発明はまた、記載された種類の篩用フレームにも見いだされ、フレームは、製造中、そこに固定されたピンと張られたメッシュを支持するため、リブによって規定された複数の同様のサイズの開口部を有し、リブの内側に面した壁のうちの少なくとも一部は、メッシュが固定される開口部の端から間隔をとっている少なくとも一つの隆起またはリップを含み、適切な寸法を有し、隆起またはリップを保持する開口部の側面に対応する側面に沿って、少なくとも一つの相補形の隆起またはリップが形成されている直線閉鎖部材が、開口部内へ、メッシュにより覆われている端とは反対の端から押込まれ、開口部の側面上の隆起またはリップと閉鎖部材の縁上のそれらとの係合により、所定の位置に保持されることを可能にしている。
【００３０】
隆起またはリップの少なくとも一部は、閉鎖部材を所定の場所に押し込むのを支援するため、弾性的に変形可能であってもよい。
【００３１】
この発明はまた、プラスチックまたは強化プラスチック材料から作られ、前述のように構成された篩い分け用フレームにおける開口部に嵌め込まれるよう適合された、直線装置にも見いだされる。
【００３２】
この発明はまた、前述のように構成され、ピンと張られたメッシュが固定された支持フレームを利用している、記載された種類の篩い分け用篩と、支持フレームの矩形の開口部に張り渡されたメッシュが損傷した場合に、開口部に挿入されて、開口部を封鎖するよう各々が適合されている、複数の直線装置とを含む、一式の部品にも見いだされる。
【００３３】
フレームにおける窓がすべて同じ形状およびサイズである場合、一式の中の直線装置はすべて１種類のサイズおよび形状であり得る。
【００３４】
以下に添付図面を参照して、この発明を例に挙げて説明する。
【００３５】
【実施例の説明】
図１は、英国特許明細書第２３２２５９０号の図２４に概要が図示された種類のガラス強化プラスチック材料の複合物から成型された直線支持フレームの１つの縁領域の断面を示す。この縁はフランジ１０を含み、その上面は１２、１４などにおいて隆起を付けられているため、その上に置かれて熱を加えられながら押し下げられたワイヤメッシュが隆起１２、１４などの軟化した頂に沈み込み、複合材料が冷却するとそこに埋込まれたままとなる。
【００３６】
支持フレームは直交するリブの直線配列により分割されており、それらは列および行として配置され、フレームの４つのエッジフランジと一体に形成されており、そのうちの１つが１０で示されている。
【００３７】
図１は、１６、１８などによって示される、配列の行を形成するリブのうちのいくつかを示し、その各々の上端には、リブ上端の２つの対称的に傾斜した面またはランド２２、２４から延びる６０°の隆起２０（図２において最もよく見える）が形成されている。
【００３８】
２つの横に延びるリブ２６、２８が図３に示されており、その一方の平坦な面は図１において参照符号２８により識別される。
【００３９】
リブ１６、１８などの中には、リブ１８の３０でのように（および図１のリブ１９の３２でのように）一部が切取られているものもある。
【００４０】
この切取りは図３の立面図に示されており、ここでは、リブ１８は矢印ＩＩＩ、ＩＩＩの方向（図１参照）側から見たものが図示されている。
【００４１】
各リブ２６、２８などの上縁には、リブ１６、１８などと同様、２つの対称的に傾斜した面またはランド３６、３８からリブ（図４の場合２６）の長さに沿って延びる６０°の隆起３４が形成されている。隆起２０および３４も加熱されると軟化する複合材料から形成されているため、圧力下では、フレームとリブの両方に張り渡されたワイヤメッシュは、１２、１４などの隆起、フレームの側面および端に沿ったフランジにだけでなく、フレームと交差してその大きな開口部を多くの小さな同様寸法の矩形の開口部または窓に分割するリブのすべてに沿った２０および３４などの隆起にも埋込まれる。
【００４２】
この発明によれば、ブロック４０は図５に示すように設けられ、これは窓のうちの一つを塞ぐために、弾性プラスチック材料、またはガラス強化プラスチック材料の複合物から便宜的に形成されている。ブロック４０の断面プロファイルは図６に最もよく示されており、その図から、上部が４２において、およびブロックの長さの一部に沿って、幅が縮小されていることがわかるであろう。幅が縮小された部分の対向する面には、断面が三角形の隆起４４、４６が形成されている。図５に示すように、２つのこのような隆起４４および４５が、一方の面４８に沿って形成されている。２つの同様の隆起４６、４７が反対の面５０に沿って形成されており、それらはどれも図５では見えないが、図７の平面図において可視である。
【００４３】
同様に、リブ１６および１８によって形成されたような各窓の長い方の側面には各々、図１のリブ１６の場合には５２、５４で、リブ１８の場合には５６、５８で示されるように、相補する三角形の隆起が各リブの両側に設けられている。このため、リブ１６、１８、２６および２８により規定される窓がメッシュの損傷領域を含み、塞ぐ必要がある場合、４０のようなブロックが下から上向きに、隆起４４、４５がまずリブ１８の隆起５６を越えてパチンと嵌まり、それから隆起４６、４７がリブ１６の隆起５４を越えてパチンと嵌まるまで押しこまれる。こうしてブロックは、その上面が窓の上に広がる損傷したメッシュと密着した状態でしっかり保持される。
【００４４】
ブロック４０が確実に開口部内に密接して嵌まることにより、液体または固体は１６、１８、２６および２８などのリブの間をほとんどまたは全く移動できず、その窓は、産出物を濾過しなくなってはいるものの、その窓と位置が合うメッシュのいかなる損傷区域からも固体を通過させない。
【００４５】
傾斜面がまず係合し、所定の位置にパチンと嵌め込まれた後に垂直な下面が係合するよう隆起を配置することにより、濾過中に上部にかなりの負荷がかかっても、または振動の結果としても、ブロック４０が外されるおそれはほとんどない。
【００４６】
ブロック４０は中実または中空であってもよい。
スループットの許容可能下位レベルにもよるが、ブロックによって目隠しされた区域の総計が大きくなりすぎて篩が稼動し続けられなくなるような時点まで、複数の４０などのブロックを嵌めこんで、篩の対応する数の窓を塞ぐことが可能である。
【００４７】
この発明は、従来よりも簡単かつ迅速に、篩をその場で交換する方法を提供する。このように、以前の方法では、損傷区域を処理する前に篩を取り外して洗浄する必要があった。以前に提案された方法の中には、支持フレームの小さな窓のうちの１つに張り渡されたクロスをすべて切断して取り外し、一片の材料を中に入れて所定の場所に結合し、修理を遂行するというものもあった。これも時間がかかり、オペレータにとっては危険なこともあった。これは、ワイヤクロスの切断端がピンの鋭い端のようで、防護衣類もないので、オペレータはたやすく手を切ったり擦ったりしかねないためであった。
【図面の簡単な説明】
【図１】  この発明に従った、修理用閉塞ブロックを受けるよう適合された直線からなる篩のフレームの縁領域を通る断面図である。
【図２】  フレームにおけるリブのうちの１つの上端を通る断面図である。
【図３】  図１の篩およびフレームの領域を図１の視角と直角に通る断面図である。
【図４】  図３のフレームの横断するリブのうちの１つの上端を通る拡大断面図である。
【図５】  この発明に従った、図１のフレームにおける窓を塞ぐためのブロックの斜視図である。
【図６】  図５のブロックの端面図である。
【図７】  図５のブロックの平面図である。
【符号の説明】
１６  リブ、１８  リブ、２６  リブ、２８  リブ、４０  ブロック、４４  隆起、４６  隆起、５２  隆起、５４  隆起、５６  隆起、５８  隆起。
【図１】
0004395289.tif 000002
【図２】
0004395289.tif 000003
【図３】
0004395289.tif 000004
【図４】
0004395289.tif 000005
【図５】
0004395289.tif 000006
【図６】
0004395289.tif 000007
【図７】
0004395289.tif 000008